(57)【要約】      （修正有）【課題】使用者が計画した経路を動態的に見ることができ、かつ走行した経路を記録した映像を見ることができる衛星ナビゲータのカメラ装置を提供する。【解決手段】測位伝送ユニット３０１が人工衛星との通信を開始し、同時にディスプレイモニタにその内容が表示される。カメラ装置４をオンすると、測位伝送ユニット３０１と同期してカメラ装置４が撮影を実行し、アクセスユニット３０３が、カメラ装置４で撮影された映像データのファイルを内部メモリ或いは外付けの記憶手段に保存する。演算ユニット３０２は、アクセスユニット３０３を介して内部メモリ或いは外付けの記憶手段に保存された映像データを読み出し、測位伝送ユニット３０１により受信した現在の走行動線と、読み出した映像データの走行動線との照合を行い、照合の完了後、合致する映像をディスプレイモニタ上に表示し、使用者に閲覧させる。【選択図】図２
0003146367.tif 000002
【実用新案登録請求の範囲】
【請求項１】
本体の一面にディスプレイモニタが設けられ、
前記本体の内部に、映像を撮影するためのカメラ装置が配設されると共に内部に制御回路基板を収納した収容空間が形成され、
前記制御回路基板が、
前記カメラ装置で撮影された映像データの内部メモリ或いは外付けの記憶手段への保存及び前記内部メモリ或いは外付けの記憶手段に保存された映像データの読み出しを行うアクセスユニットと、
人工衛星のデコーディング、コード照合に用いられる測位伝送ユニットと、
電池ユニットと、
衛星ナビゲーション、各ユニットの処理及び映像照合分析を行うための演算ユニットと、
前記カメラ装置から該制御回路基板への映像伝送に用いられる電気接続コンポーネントと、を備え、
前記演算ユニットは、前記アクセスユニットを介して前記内部メモリ或いは外付けの記憶手段に保存された映像データを読み出し、前記測位伝送ユニットにより受信した現在の走行動線と、前記読み出した映像データの走行動線との照合を行い、照合の完了後、合致する映像をディスプレイモニタ上に表示するものである、
ことを特徴とする衛星ナビゲータ。
【請求項２】
前記測位伝送ユニット上に人工衛星に対する情報接続用の発射アンテナが設置された、
ことを特徴とする請求項１に記載の衛星ナビゲータ。
【請求項３】
前記本体に録音装置が設けられると共に、前記制御回路基板に電気伝送コンポーネントが設けられ、前記電気伝送コンポーネントを介して前記録音装置が接続された、
ことを特徴とする請求項１に記載の衛星ナビゲータ。
【考案の詳細な説明】
【技術分野】
【０００１】
本考案は、特に、使用者が計画した経路を動態的に見ることができる衛星ナビゲータに関する。
【背景技術】
【０００２】
従来、道を見つけるのに、ほとんどの人々が地図集を使用して自分に必要な経路を見つけていたが、道路標が各道路にあるわけではなく、また、道が小さいと見つけにくく、使用者が道を探すときに地図を見るために、多くの時間が無駄となり、かつ地図集にあっては、掲載区域によって探そうとする道が掲載されていないこともある。
【０００３】
今日の科学技術が進歩した時代において、人々は多くの関連電子消費型製品を開発するようになり、従来の地図集を代替する電子消費型製品の１つとして、衛星ナビゲータがある。衛星ナビゲータは、従来の地図集と比べると非常に便利で正確な電子地図である。市場においては、多くの電子製品メーカーが衛星ナビゲータを生産し始めており、続々と衛星ナビゲーションシステムの研究開発を進めている。
【０００４】
初期の衛星ナビゲータは、その内容データを更新することができず、道路標の変更や道路の新設などがあると、衛星ナビゲータは関連情報を知ることができなかったため、研究開発メーカーは、関連情報の更新が可能で、且つ音声機能を備えた衛星ナビゲータの開発を開始した。このような衛星ナビゲータは、多くの運転者に利便性をもたらし、特に音声システムの新設によって、使用者がディスプレイモニタを見て経路を確認する必要がなくなったため、安全面も大きく向上されている。
【考案の開示】
【考案が解決しようとする課題】
【０００５】
しかしながら、上述の衛星ナビゲータは、使用時に次のような問題点が確実に存在するため、改善が待たれている。使用者が衛星ナビゲータを使用するとき、衛星ナビゲータは使用者の走行した道路行程を記録することができず、且つ動態的に走行した経路を見ることができない。また、衛星ナビゲータは音声補助があるものの、明確な表示という点においてはまだ一定程度信頼性が不足しており、また面白みにも欠ける。
【０００６】
そこで、本考案は、これに鑑みてなされたもので、その目的は、使用者が計画した経路を動態的に見ることができ、かつ以前走行した経路の映像を記録し、記録した映像を見ることができる衛星ナビゲータを提供することにある。
【課題を解決するための手段】
【０００７】
請求項１に係る衛星ナビゲータは、上記課題を解決するために、本体の一面にディスプレイモニタが設けられ、前記本体の内部に、映像を撮影するためのカメラ装置が配設されると共に内部に制御回路基板を収納した収容空間が形成され、前記制御回路基板が、前記カメラ装置で撮影された映像データの内部メモリ或いは外付けの記憶手段への保存及び前記内部メモリ或いは外付けの記憶手段に保存された映像データの読み出しを行うアクセスユニットと、人工衛星のデコーディング、コード照合に用いられる測位伝送ユニットと、電池ユニットと、衛星ナビゲーション、各ユニットの処理及び映像照合分析を行うための演算ユニットと、前記カメラ装置から該制御回路基板への映像伝送に用いられる電気接続コンポーネントとを備え、前記演算ユニットは、前記アクセスユニットを介して前記内部メモリ或いは外付けの記憶手段に保存された映像データを読み出し、前記測位伝送ユニットにより受信した現在の走行動線と、前記読み出した映像データの走行動線との照合を行い、照合の完了後、合致する映像をディスプレイモニタ上に表示するものであることを特徴とするものである。
【０００８】
請求項２に係る衛星ナビゲータは、請求項１に係る衛星ナビゲータにおいて、前記測位伝送ユニット上に人工衛星に対する情報接続用の発射アンテナが設置されたことを特徴とするものである。
【０００９】
請求項３に係る衛星ナビゲータのカメラ装置は、請求項１に係る衛星ナビゲータにおいて、前記本体に録音装置が設けられると共に、前記制御回路基板に前記電気伝送コンポーネントが設けられ、前記電気伝送コンポーネントを介して前記録音装置が接続されたことを特徴とするものである。
【考案の効果】
【００１０】
本考案の衛星ナビゲータによれば、カメラ装置の起動後、測位伝送ユニットが人工衛星との通信を開始し、同時にディスプレイモニタにその内容が表示される。カメラ装置をオンすると、測位伝送ユニットと同期してカメラ装置が撮影を実行し、アクセスユニットが、カメラ装置で撮影された映像データのファイルを内部メモリ或いは外付けの記憶手段に保存する。
【００１１】
カメラ装置の撮影完了後、次回の使用時に、カメラ装置で撮影した映像の経路を走行する場合、衛星ナビゲータシステムに接続し、ディスプレイモニタからナビゲーションを行いたい計画経路を設定する。演算ユニットが、アクセスユニットを通じてメモリに保存されたファイルの映像データを読み出し、制御回路基板上の測位伝送ユニットにより受信した現在の走行動線と、アクセスユニットを介して読み出された以前の走行動線との照合を行い、照合の完了後、合致する映像をディスプレイモニタ上に表示して使用者に閲覧させる。使用者は動態的に計画した経路の映像を見ることができ、走行した経路の映像を記録し、記録した映像を見ることができる。
【００１２】
また、カメラ装置で撮影された映像データと同期させて録音装置により音声データを取得し、取得した音声データを映像データに対応付けてメモリに記憶し、演算ユニットが、メモリに保存されたファイルの映像データとこれに対応付けされた音声データを読み出し、音声データを衛星ナビゲータに既存の音声装置に出力することにより、映像に一致した明確な音声補助表示を行うことができる。
【考案を実施するための最良の形態】
【００１３】
以下、図面を参照して本考案の実施の形態を説明する。図１は本考案の実施形態に係る衛星ナビゲータを示す斜視図であり、図２は図１の衛星ナビゲータを分解して示す斜視図である。図１〜図２に示すように、実施形態に係る衛星ナビゲータ１は、略矩形状の本体２、ディスプレイモニタ３、制御回路基板３０、カメラ装置４を含む。
【００１４】
本体２の前面にディスプレイモニタ３が設置され、本体２の裏面にレンズ孔２１が形成される。ディスプレイモニタ３は、通常のナビゲータと同様、使用者が画像による表示を用いて目的地等を設定できるようになっている。また、本体２の一側部には、衛星ナビゲータ１の電源をオン／オフを切り換えるスイッチ２０及び電源コード５を差し込むための電源用孔２００が設けられている。また、本体２の内部に収容空間２２が形成され、収容空間２２内に制御回路基板３０が配設される。カメラ装置４は、本体２の内部の制御回路基板３０の裏面に配設されると共に、レンズ孔２１を通じて外部の映像を撮影可能に配置されている。
【００１５】
制御回路基板３０には、人工衛星のデコーディング、コード照合に用いられる測位伝送ユニット３０１と、カメラ装置４で撮影された映像データの内部メモリ或いは外付けの記憶手段への保存及び前記内部メモリ或いは外付けの記憶手段に保存された映像データの読み出しを行うアクセスユニット３０３と、電池ユニット３０４と、衛星ナビゲーション、各ユニットの処理及び映像照合分析を行うための演算ユニット３０２と、カメラ装置４から制御回路基板３０への映像伝送に用いられる電気接続コンポーネント３００とが設置されている。
【００１６】
通常のナビゲータと同様、演算ユニット３０２は、測位伝送ユニット３０１を通じて人工衛星から得たデータに基づいてナビゲーション信号を発信する。演算ユニット３０２から発信されたナビゲーション信号は、ディスプレイモニタ３及び衛星ナビゲータ１に既存の音声装置（図示せず）を介して出力される。
【００１７】
また、衛星ナビゲータ１に録音装置２０４を設置してもよく、録音装置２０４が設置する場合には、制御回路基板３０に電気伝送コンポーネント３０５が設けられると共に電気伝送コンポーネント３０５に録音装置２０４が接続される。
【００１８】
さらに、アクセスユニット３０３は、カメラ装置４が録画した映像データのメモリへの保存に用いられる一方、前記メモリに保存された映像データを読み出してディスプレイモニタ３へ出力し、ディスプレイモニタ３上で再生することができる。
【００１９】
図３は自動車内における使用状態時の衛星ナビゲータを示す斜視図である。図３に示すように、電源発光部材２０１が本体２の前面下縁の一側部に設けられ、衛星ナビゲータ１のスイッチ２０が操作されて起動（オン）されると、電源発光部材２０１が点灯する。
【００２０】
また、衛星ナビゲータ１を使用するときは、電源孔２００に電源コード５の一端を差し込んで接続すると共に、電源コード５の他端を自動車用電源装置６に差し込んで接続する。すると、衛星ナビゲータ１に通電される。また、使用者がスイッチ２０をオンすると、衛星ナビゲータ１が起動し、電源発光部材２０１が同時に点灯する。
【００２１】
衛星ナビゲータ１を使用する際は、本体２を使用者の見やすい位置に設置し、ディスプレイモニタ３でナビゲーションを行ないたい路線や目的地を設定する。演算ユニット３０２は、使用者の設定に合致するよう人工衛星による検索を行い、測位伝送ユニット３０１を通じて人工衛星から得たデータに基づいて路線計画を作成し、ナビゲーション信号を発信する。ナビゲーション信号はディスプレイモニタ３を介して出力され、通常のナビゲーション表示（地図表示）がなされる。また、ナビゲーション信号は音声装置によっても出力され、音声で進行方向等が指示される。
【００２２】
使用者がカメラ装置４を使用して撮影を行う場合には、ディスプレイモニタ３への操作によりカメラ装置４をオンにする。カメラ装置４をオンすると、測位伝送ユニット３０１と同期してカメラ装置４が撮影を実行し、アクセスユニット３０３が、カメラ装置４で撮影された映像データを内部メモリ或いは外付けの記憶手段に保存する。
【００２３】
カメラ装置４の撮影完了後、次回の使用時に、カメラ装置４で撮影した映像の経路を走行する場合、衛星ナビゲータシステムに接続し、ディスプレイモニタ３からナビゲーションを行いたい計画経路を設定する。演算ユニット３０２が、アクセスユニット３０３を通じてメモリに保存された映像データを読み出し、制御回路基板３０上の測位伝送ユニット３０１により人工衛星から受信したデータによる現在の走行動線と、アクセスユニット３０３を介して読み出された映像データによる以前の走行動線との照合を行い、照合の完了後、合致する映像をディスプレイモニタ３上に表示して使用者に閲覧させる。これにより、使用者は動態的に計画した経路の映像を見ることができ、走行した経路の映像を記録し、記録した映像を見ることができる。
【００２４】
また、カメラ装置４で撮影された映像データと同期させて録音装置２０４により音声データ（例えば、使用者の音声による道順確認）を取得し、取得した音声データを映像データに対応付けてメモリに記憶し、演算ユニット３０２が、メモリに保存されたファイルの映像データとこれに対応付けされた音声データを読み出し、音声データを音声装置に出力することにより、映像に一致した明確な音声補助表示を行うことができる。
【００２５】
図４は衛星ナビゲータ１に対する携帯型ディスクの接続を示す斜視図であり、図５は衛星ナビゲータ１に対するメモリカードの接続を示す斜視図である。本体２の前面下側縁には、ユニバーサルシリアルバススロット（Ｕｎｉｖｅｒｓａｌ  Ｓｅｒｉａｌ  Ｂｕｓ）２０２及びメモリカードスロット２０３が設けられている。ユニバーサルシリアルバススロット２０２には互換性のある携帯型ディスク７を挿入することができ、メモリカードスロット２０３には互換性のあるメモリカード８を挿入することができる。このように、携帯型ディスク７やメモリカード８を接続することにより、携帯型ディスク７やメモリカード８に記憶されたデータの読み取りを行うことができ、且つそのメモリ容量を拡張することができる。
【００２６】
図６に示すように、測位伝送ユニット３０１上には発射アンテナ９が設けられ、発射アンテナ９は人工衛星９１に対して情報接続するために用いられる。測位伝送ユニット３０１はデジタル信号とアナログ信号相互変換機能を備え、発射アンテナ９が受信したアナログ信号をデジタル信号に変換したり、デジタル信号をアナログ信号に変換して発射アンテナ９から人工衛星９１ら送ったりすることができる。
【図面の簡単な説明】
【００２７】
【図１】本考案の実施形態に係る衛星ナビゲータの斜視図である。
【図２】図１の衛星ナビゲータを分解して示す斜視図である。
【図３】自動車内における使用状態時の衛星ナビゲータを示す斜視図である。
【図４】衛星ナビゲータに対する携帯型ディスクの接続を示す斜視図である。
【図５】衛星ナビゲータに対するメモリカードの接続を示す斜視図である。
【図６】人工衛星に対する情報接続を示す衛星ナビゲータの斜視図である。
【符号の説明】
【００２８】
１  衛星ナビゲータ
２  本体
３  ディスプレイモニタ
４  カメラ装置
５  電源コード
６  自動車用電源装置
７  携帯型ディスク
８  メモリカード
９  発射アンテナ
２０  スイッチ
２１  レンズ孔
２２  収容空間
３０  制御回路基板
２００  電源用孔
２０１  電源発光部材
２０２  ユニバーサルシリアルバススロット
２０３  メモリカードスロット
２０４  録音装置
３００  電気接続コンポーネント
３０１  測位伝送ユニット
３０２  演算ユニット
３０３  アクセスユニット
３０４  電池ユニット
３０５  電気伝送コンポーネント
９１  人工衛星
【図１】
0003146367.tif 000003
【図２】
0003146367.tif 000004
【図３】
0003146367.tif 000005
【図４】
0003146367.tif 000006
【図５】
0003146367.tif 000007
【図６】
0003146367.tif 000008